(57)【要約】【課題】  表面材の中桟と重複する部分が前方に膨らんで表面材の前面に中桟の写りが出ることを防止できて外観の良いフラッシュパネルを提供する。【解決手段】  枠材７ａ〜７ｄを矩形状に枠組みして外枠体８を形成する。外枠体８の両側の枠材７ａ、７ｂ間に木質材からなる中桟９を架設してパネル枠２を構成する。中桟９の前面を外枠体８の前面よりも後方に配置する。表面材５をパネル枠２における外枠体８の前面に貼着する。中桟９の前面と表面材５の後面との間に隙間１２を形成する。【選択図】        図１
2006299749.tif 000002
【特許請求の範囲】
【請求項１】
枠材を矩形状に枠組みして外枠体を形成すると共に該外枠体の両側の枠材間に木質材からなる中桟を架設してパネル枠を構成し、該パネル枠の前面に表面材を貼着したフラッシュパネルにおいて、中桟の前面を外枠体の前面よりも後方に配置し、表面材をパネル枠における外枠体の前面に貼着し、中桟の前面と表面材の後面との間に隙間を形成して成ることを特徴とするフラッシュパネル。
【請求項２】
上記中桟の後面を外枠体の後面に貼着した裏面材の前面に当接して成ることを特徴とする請求項１に記載のフラッシュパネル。
【発明の詳細な説明】
【技術分野】
【０００１】
本発明は補強用の中桟を備えたフラッシュパネルに関する。
【背景技術】
【０００２】
従来から知られているフラッシュパネルは例えば木質材からなるパネル枠の前後両面に表面材及び裏面材を夫々貼着したものであり、この種のフラッシュパネルには、例えば特許文献１に示すように枠材を矩形状に枠組みして外枠体を形成すると共にこの外枠体の両側の枠材間に補強用の中桟を架設してパネル枠を形成したものがある。中桟としては通常図４に示すような厚みｔ２が外枠体８の厚みｔ１と同じものが用いられ、この中桟９は前面及び後面が外枠体８の前面及び後面の夫々と面一となるように枠材７ａ、７ｂ間に架設されるものである。
【０００３】
ところで上記中桟９を備えたフラッシュパネルにあっては、木質材からなるパネル枠２が経時的に吸湿して膨張することがあり、このパネル枠２の膨張に伴いフラットな表面材５のパネル枠２と重複する部分（パネル枠２の前方に位置する部分）が前方に膨らみ、これにより表面材５の前面にパネル枠２の「写り」が出ることがあった。この表面材５に生じる写りのうち、パネル枠２の外周枠を構成する外枠体８の写りはフラッシュパネルの端縁部に位置するためそれ程目立たないが、中桟９の写りはフラッシュパネルの中央部を跨って通過するものであるので非常に目立ち、フラッシュパネルの外観を大きく低下させる。また寸法誤差等により中桟９の厚みｔ２が外枠体８の厚みｔ１よりも大きくなった場合にも同様に表面材５に中桟９の写りが出てしまう。
【特許文献１】特開平１０−１００３３９号公報
【発明の開示】
【発明が解決しようとする課題】
【０００４】
本発明は上記従来の問題点に鑑みて発明したものであって、パネル枠を木質材からなる中桟で補強できるのは勿論、加えて中桟の吸湿に伴う膨張や寸法誤差等を要因として表面材の前面に中桟の写りが出ることを防止でき、外観が良好なフラッシュパネルを提供することを課題とする。
【課題を解決するための手段】
【０００５】
上記課題を解決するために本発明に係るフラッシュパネルは、枠材７ａ〜７ｄを矩形状に枠組みして外枠体８を形成すると共に該外枠体８の両側の枠材７ａ、７ｂ間に木質材からなる中桟９を架設してパネル枠２を構成し、該パネル枠２の前面に表面材５を貼着したフラッシュパネルにおいて、中桟９の前面を外枠体８の前面よりも後方に配置し、表面材５をパネル枠２における外枠体８の前面に貼着し、中桟９の前面と表面材５の後面との間に隙間１２を形成して成ることを特徴とするものである。
【０００６】
上記構成を有することで、枠材７ａ、７ｂ間に架設された中桟９によりパネル枠２を補強できるのは勿論、加えて、木質材からなる中桟９が吸湿して膨張した場合にはこの中桟９の膨張を中桟９の前面と表面材５の後面との間に形成した隙間１２で吸収することができ、これにより表面材５の前面に中桟９の写りが出ることを防止できる。また中桟９の厚みｔ２が寸法誤差等により大きい場合にもこの誤差を隙間１２により吸収でき、この場合も表面材５の前面に中桟９の写りが出ることを防止できる。
【０００７】
また上記中桟９の後面を外枠体８の後面に貼着した裏面材６の前面に当接することも好ましく、この場合、フラッシュパネル１を製造する際には中桟９の後面と外枠体８の後面を平坦な面に当接して面一とした状態で枠組みしてパネル枠２を形成でき、容易にパネル枠２を形成できる。
【発明の効果】
【０００８】
本発明ではパネル枠を中桟で補強でき、しかも表面材の前面に中桟の写りが出ることを防止できてフラッシュパネルの外観を向上できる。
【発明を実施するための最良の形態】
【０００９】
以下、本発明を添付図面に示す実施形態に基いて説明する。図１乃至図３に示す本実施形態のフラッシュパネル１は引き戸パネル等の扉として利用されるものであり、パネル枠２及びコア材３を備えた芯材４と、芯材４の前面を覆う表面材５と、芯材４の後面を覆う裏面材６とからなる。
【００１０】
芯材４のパネル枠２は、木質材からなる角棒状の枠材７ａ〜７ｄを正面視矩形状に枠組みして外枠体８を形成すると共にこの外枠体８の両側の枠材７ａ、７ｂ間に木質材からなる中桟９を一又は複数本架設して構成されるものである。本例にあっては図１に示すように左右の縦枠材７ａ、７ｂ及び上下の横枠材７ｃ、７ｄを正面視縦長の長方形状に枠組みして外枠体８を形成し、左右の縦枠材７ａ、７ｂ間に横枠材７ｃ、７ｄと平行な中桟９を上下方向に複数本（図示例では３本）架設している。上記縦枠材７ａ、７ｂは反りを押さえるためにＬＶＬ（単板積層材）からなる。また横枠材７ｃ、７ｄ及び中桟９はＬＶＬ又はパーティクルボードからなる。
【００１１】
ここで外枠体８を構成する枠材７ａ〜７ｄの厚み（前後方向の長さ）は全て同じであり、また全枠材７ａ〜７ｄの前面や後面は面一となっている。また図２に示すように中桟９の厚みｔ２は外枠体８の厚みｔ１（即ち枠材７ａ〜７ｄの厚み）よりも小さく（ｔ２＜ｔ１）、中桟９はその前面が外枠体８の前面よりも後方に控えた位置に配置され、且つその後面が外枠体８の後面と面一となるように縦枠材７ａ、７ｂ間に架設されている。
【００１２】
また矩形状に枠組みされた外枠体８の内側空間１０は中桟９によって複数の空間１０ａ〜１０ｄに仕切られているが、ここで各空間１０ａ〜ｄにはコア材３を充填している。コア材３はダンボールのような紙の素材を蜂の巣状に組み合わせてなる軽量のハニカムコアからなり、セルの開口方向をフラッシュパネル１の厚み方向とすると共に前面及び後面を表面材５及び裏面材６に当接することで、フラッシュパネル１の厚み方向の力に対する強度を高めている。また本例にあっては表面材５の中桟９と重複する部分が後方に凹むことを確実に防止するために、正面から見て中桟９の占める面積をフラッシュパネル１の全面積の１０％以下とし、且つコア材３を設けない部分を中桟９の前方部のみとして、外枠体８の内側空間１０に充填されるコア材３の充填率を９０％以上としている。なおコア材３にはフラッシュパネル１の強度をより高めるために樹脂を含浸しても良い。
【００１３】
またパネル枠２の前面を覆う表面材５は図示は省略するが例えば木質薄板等の表面材本体の前面側に木目模様などのプリントを施した塩化ビニルシート等の化粧シートを取着して構成されている。またパネル枠２の後面を覆う裏面材６は例えば木質薄板等や木質薄板等の裏面材本体の後面に紙などを貼ったもの等で構成されている。
【００１４】
そして上記表面材５を接着剤によりパネル枠２における外枠体８の前面にのみ接着し、この後、裏面材６を接着剤により外枠体８の後面に接着し、この後プレスすることで芯材４の表裏面に表面材５及び裏面材６を貼着したフラッシュパネル１が形成される。なお表面材５は外枠体８の前面に加えてコア材３の前面を接着剤で接着しても良い。また裏面材６は外枠体８の後面に加えて中桟９の後面やコア材３の後面に接着剤で接着しても良い。
【００１５】
上記のように形成されたフラッシュパネル１は、図２や図３に示すように中桟９の前面が外枠体８の前面よりも後方に位置して表面材５に接触しておらず、これにより中桟９の前面と表面材５の後面との間に隙間１２を形成している。従って木質材からなる中桟９が経時的に吸湿して膨張した場合にはこの膨張を隙間１２により吸収でき、これにより中桟９の膨張に伴って表面材５の中桟９と重複する部分が前方に膨らむこと、即ち表面材５の前面に中桟９の写りが出ることを防止できる。また中桟９の厚みｔ２が寸法誤差等により外枠体８の厚みｔ１よりも大きい場合にもこの誤差を隙間１２により吸収でき、従ってこの場合も表面材５に中桟９の写りが出ることを防止できる。
【００１６】
また本例では中桟９の後面を外枠体８の後面に貼着した裏面材６の前面に当接しているので、フラッシュパネル１を製造する際には、中桟９の後面と外枠体８の後面を同一面に当接して面一とした状態で枠組みしてパネル枠２を形成でき、容易にパネル枠２を形成できる。また本例にあっては隙間１２に中桟９の吸湿に伴う膨張を逃がすことができ、これにより中桟９の後面を裏面材６の前面に当接したにも関わらず、裏面材６の後面に中桟９の写りが出ることを防止できる。ここで本例のフラッシュパネル１は裏面材６に中桟９の写りが出る可能性が若干残されているため、後面が目立たない位置に配されるクローゼットやキャビネット等からなる収納部の扉（即ち後面が収納部側を向くと共に前面が収納部とは反対側を向く扉）として利用することが特に有用である。
【００１７】
なお本例にあっては図２等に示すように外枠体８の外周面を露出させているが、例えば表面材５の左右方向や上下方向の端部の後面にＶカット溝を形成して表面材５をＶカット溝を形成した部分で折り曲げ、この表面材５のＶカット溝で折り曲げられた部分を外枠体８の外周面や外枠体８の外縁部に形成した面取り部等に沿わせて貼着しても良い。
【図面の簡単な説明】
【００１８】
【図１】本発明の実施の形態の一例のフラッシュパネルを示すもので、表面材の図示を省略したフラッシュパネルの正面図である。
【図２】図１のＡ―Ａ線断面図である。
【図３】図１のＢ−Ｂ線断面図である。
【図４】従来のフラッシュパネルを示す断面図である。
【符号の説明】
【００１９】
１  フラッシュパネル
２  パネル枠
５  表面材
６  裏面材
７ａ〜７ｄ  枠材
８  外枠体
９  中桟
１２  隙間
【図１】
2006299749.tif 000003
【図２】
2006299749.tif 000004
【図３】
2006299749.tif 000005
【図４】
2006299749.tif 000006